(57)【要約】【課題】連動機構の取り付け作業を容易にできる遊技機を提供する。【解決手段】集合板６０とは別部品で構成された機構ユニット９０と、集合板６０の裏面側で、かつ、当該集合板６０を裏面視した状態で機構ユニット９０と重ならない位置に配設される基板ユニット（制御基板ユニット７０や中継基板ユニット８０）とを備え、機構ユニット９０は、遊技盤３０での始動口に入賞した遊技球の重みを利用して入賞口を開放するように構成されたリンク機構部をユニット化したものであるので、ユニット化した機構ユニット９０を集合板６０の裏面側に取り付けるだけでよく、従来のような集合板の裏面側にリンク機構部品を個別に取り付けていき連動機構を構築するという煩雑な組み付け作業を不要にでき、機構ユニット９０（例えば連動機構）の取り付け作業を容易にできる。【選択図】図４
2008161516.tif 000002
【特許請求の範囲】
【請求項１】
遊技球の打ち込まれる遊技領域が前面側に形成され、かつ、前記遊技領域の所定箇所に複数個の入賞口が配設された遊技盤を備えた遊技機において、
前記遊技盤の裏面側に取り付けられ、前記入賞口を通って前記遊技盤の裏面側に導かれた遊技球を案内して集めて排出するための集合板と、
前記集合板とは別部品で構成されたユニットであって当該集合板での遊技盤と対向する側とは反対側たる裏面側に取り付けられる機構ユニットと、
前記集合板の裏面側で、かつ、当該集合板を裏面視した状態で前記機構ユニットと重ならない位置に配設される基板ユニットと、
を備え、
前記機構ユニットは、前記遊技盤での特定の入賞口に入賞した遊技球の重みを利用して他の入賞口を開放するように構成されたリンク機構手段をユニット化したものである
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島（遊技機設置台座エリア）に固定される外枠と、この外枠の正面視での左端側を開閉軸として外枠に対して開閉可能に支持される内枠と、この内枠の略中央に形成された開口に遊技領域が位置するように取り付けられる遊技盤と、この内枠の正面視での左端側を開閉軸として内枠に対して開閉可能に支持され、遊技領域を視認するための視認窓を有する前面扉とを備えている。
【０００３】
また、遊技盤の前面側での遊技領域の所定位置には、遊技球の入賞（入球）可能な入賞口が複数個配設されている。また、遊技盤の裏面側には、遊技球を集めて島設備（遊技島設備：特に遊技島の遊技球回収設備）の方へ排出するための集合板が取り付けられている。つまり、遊技盤の前面側で入賞口に入賞した遊技球は、当該入賞口を通って遊技盤の裏面側に案内されて集合板の案内通路を通って下方に集められて、島設備の方に排出されるようになっている。
【０００４】
さらに、遊技盤の裏面側には、当該遊技盤での特定の入賞口に入賞した遊技球の重みを利用して他の入賞口を開放するようにリンク機構で構築された連動機構が備えられている（例えば、特許文献１参照）。さらに、遊技盤の裏面側には、各種制御基板や各種配線も備えられている。
【特許文献１】実開平６−７５５７０号公報（第７−１１頁，第１−２図）
【発明の開示】
【発明が解決しようとする課題】
【０００５】
しかしながら、このような構成を有する従来例の場合には、次のような問題がある。
すなわち、従来のパチンコ機の遊技盤の裏面側には、各種の制御基板や各種配線が設けられている関係上、作業スペースが少なく、当該遊技盤の裏面側に前記のリンク機構を構築していき連動機構を組み付ける作業が非常にやり難いという問題がある。
【０００６】
また、制御基板等を遊技盤裏面に取り付ける前に、連動機構を遊技盤裏面に組み付けるようにすることも考えられるが、そのようにすると組立順番が制約されてしまうことになる（つまり、生産工程が制約される）し、連動機構のリンク機構等は可動部品であるが故に制御基板に比して寿命が短く、リンク機構の交換作業が必要な場合もあり、当該交換作業が非常に煩わしいことから、連動機構を単に先に組み付けるとするだけでは根本的な解決とならない。
【０００７】
本発明は、このような事情に鑑みてなされたものであって、連動機構の取り付け作業を容易にできる遊技機を提供することを目的とする。
【課題を解決するための手段】
【０００８】
この発明は、このような目的を達成するために、次のような構成をとる。
すなわち、請求項１に記載の発明は、
遊技球の打ち込まれる遊技領域が前面側に形成され、かつ、前記遊技領域の所定箇所に複数個の入賞口が配設された遊技盤を備えた遊技機において、
前記遊技盤の裏面側に取り付けられ、前記入賞口を通って前記遊技盤の裏面側に導かれた遊技球を案内して集めて排出するための集合板と、
前記集合板とは別部品で構成されたユニットであって当該集合板での遊技盤と対向する側とは反対側たる裏面側に取り付けられる機構ユニットと、
前記集合板の裏面側で、かつ、当該集合板を裏面視した状態で前記機構ユニットと重ならない位置に配設される基板ユニットと、
を備え、
前記機構ユニットは、前記遊技盤での特定の入賞口に入賞した遊技球の重みを利用して他の入賞口を開放するように構成されたリンク機構手段をユニット化したものである
ことを特徴とするものである。
【０００９】
［作用・効果］請求項１に記載の発明によれば、遊技機の遊技盤の前面側には、遊技球の打ち込まれる遊技領域が形成されており、かつ、遊技領域の所定箇所に複数個の入賞口が配設されている。この遊技盤の裏面側には、さらに集合板が取り付けられている。この集合板は、入賞口を通って遊技盤の裏面側に導かれた遊技球を案内して集めて排出するためのものである。さらに、この集合板での遊技盤と対向する側とは反対側たる裏面側には、当該集合板とは別部品で構成されたユニットである機構ユニットが取り付けられている。この機構ユニットは、遊技盤での特定の入賞口に入賞した遊技球の重みを利用して他の入賞口を開放するように構成されたリンク機構手段をユニット化したものである。さらに、集合板の裏面側で、かつ、当該集合板を裏面視した状態で機構ユニットと重ならない位置に、基板ユニットが配設されている。
【００１０】
したがって、ユニット化した機構ユニットを集合板の裏面側に取り付けるだけでよいので、従来のような集合板の裏面側にリンク機構部品を個別に取り付けていき連動機構を構築するという煩雑な組み付け作業を不要にでき、機構ユニット（例えば連動機構）の取り付け作業を容易にできる。また、機構ユニットの取り付け作業が容易であることから、基板ユニット（露出した基板単体であってもよい）を遊技盤裏面側に取り付ける前に、機構ユニットを遊技盤裏面側に付けなければならないという組立順番（生産工程）が制約されることもないし、仮に、ホール設置後に機構ユニットの交換作業が必要となった場合でも、機構ユニットを集合板の裏面側に取り付けるだけでよく、当該交換作業を容易に行うことができる。
【００１１】
また、基板ユニットは、集合板の裏面側で、かつ、機構ユニットと重ならない位置に配設されているので、遊技盤の裏面突出量を小さくできる。また、機構ユニットや基板ユニットを区分け配設しているので、ユニット毎に区分けされた簡易な取付構造とすることができる。
【００１２】
なお、本明細書は、次のような遊技機に係る発明も開示している。
【００１３】
（１）  請求項１に記載の遊技機において、
前記機構ユニットは、前記集合板の裏面側で、当該集合板を裏面視した状態で互いに重ならない位置で、かつ、前記基板ユニットと重ならない位置に、複数個配設されていることを特徴とする遊技機。
【００１４】
前記（１）に記載の発明によれば、機構ユニットは、前記集合板の裏面側で、当該集合板を裏面視した状態で互いに重ならない位置で、かつ、前記基板ユニットと重ならない位置に、複数個配設されている。したがって、ユニット化した各機構ユニットを集合板の裏面側に取り付けるだけでよいので、複数個の機構ユニットを集合板の裏面側に容易に取り付けることができる。
【００１５】
（２）  請求項１に記載の遊技機、または、前記（１）に記載の遊技機において、
前記機構ユニットは、前記リンク機構手段をケース部材内に収めるようにユニット化したものである
ことを特徴とする遊技機。
【００１６】
前記（２）に記載の発明によれば、機構ユニットは、リンク機構手段をケース部材内に収めるようにユニット化したものである。つまり、可動なリンク機構手段がケース部材内に収容されているので、遊技盤の裏面側の配線がリンク機構手段などに接触することを低減できる。また、遊技機をホールの島設備に設置した後に、ホール側の電源配線や信号配線などが遊技盤に裏面側に位置することもあるが、それらの配線がケース部材内のリンク機構手段に接触することも防止できる。その結果、リンク機構手段に配線等が接触することによる作動不具合を低減できる。
【００１７】
（３）  前記（２）に記載の遊技機において、
前記ケース部材は、
前記集合板側の所定箇所を遊技球が取込可能に開口形成した取込孔と、
前記取込孔の鉛直下方で、前記集合板側の所定箇所を遊技球が排出可能に開口形成した排出口と、
前記取込孔と前記排出口とを連通して上から下方向に遊技球が流下する中央案内通路と、
を備え、
前記リンク機構手段は、
先端側が前記中央案内通路の左右両側から当該通路内に延出されて、少なくとも前記先端側が上下に可動する複数のレバー部材と、
遊技球の接触により下方に位置した前記レバー部材の先端側を当該遊技球の接触解除後にそれよりも上方の位置に戻す復帰手段と、
を備え、
かつ、前記レバー部材の前記先端側の下方移動に伴って前記入賞口を開放させるものである
ことを特徴とする遊技機。
【００１８】
前記（３）に記載の発明によれば、ケース部材での集合板側の所定箇所に開口形成された取込孔に、遊技球が取り込まれると、中央案内通路内を上から下方向に遊技球が流下することになるが、この中央案内通路内を流下する遊技球はレバー部材の先端側を押し下げて流下していき、このレバー部材の先端側の押し下げに伴って入賞口が開放され、ケース部材での集合板側の所定箇所に開口形成された排出口から排出される。したがって、遊技盤での特定の入賞口に入賞した遊技球の重みを利用して他の入賞口を開放する機構ユニットを好適に実現できるのみならず、リンク機構手段をケース部材で覆った機構ユニットとすることで、遊技盤やホール側の配線等がリンク機構手段に接触することによる作動不具合を低減できる。また、機構ユニット単位でリンク機構手段の作動性を確保でき、従来のような遊技盤の裏面側にリンク機構部品を個別に取り付けていき連動機構を構築する場合に比べて、作動性を向上させることができる。
【００１９】
（４）  前記（３）に記載の遊技機において、
前記複数のレバー部材は、その各先端側が、前記中央案内通路の遊技球流下方向に順番に、かつ、当該中央案内通路の左右両側に交互に位置するようにそれぞれ配置され、
前記中央案内通路は、前記レバー部材の可動最下位置で、かつ、左右両側のうちでそのレバー部材の位置しない側の壁面を遊技球逃がしのために前記集合板を裏面視した状態で外側に円弧状に突出させた円弧状突出部を、当該中央案内通路の左右両側に交互に備え、
前記下側のレバー部材は、当該下側のレバー部材の可動最上位置が前記上側のレバー部材のための円弧状突出部に位置するように配置されている
ことを特徴とする遊技機。
【００２０】
前記（４）に記載の発明によれば、複数のレバー部材は、その各先端側が、中央案内通路の遊技球流下方向に順番に、かつ、中央案内通路の左右両側に交互に位置するようにそれぞれ配置されている。また、中央案内通路は、レバー部材の可動最下位置で、かつ、左右両側のうちでそのレバー部材の位置しない側の壁面を遊技球逃がしのために集合板を裏面視した状態で外側に円弧状に突出させた円弧状突出部を、中央案内通路の左右両側に交互に備えている。さらに、下側のレバー部材は、その可動最上位置が上側のレバー部材のための円弧状突出部に位置するように配置されている。したがって、中央案内通路における上側のレバー部材とそのすぐ下側のレバー部材との間の通路を短くでき、短時間で複数のリンク機構手段を作動でき、複数個の入賞口を同時に開放させることができる。つまり、中央案内通路を流下する遊技球は、上側のレバー部材の先端側を押し下げて円弧状突出部に逃げるやいなや、この円弧状突出部に設けられた下側のレバー部材の先端側を押し下げて円弧状突出部に逃げていくことから、上側のレバー部材に関係する入賞口と、下側のレバー部材に関係する入賞口とをほとんど同時に開放させることができるし、省スペース化を図ることもできる。
【００２１】
（５）  前記（４）に記載の遊技機において、
前記中央案内通路は、前記レバー部材が可動最下位置となった状態でその先端側を止める止め部を備えている
ことを特徴とする遊技機。
【００２２】
前記（５）に記載の発明によれば、中央案内通路の止め部は、レバー部材が可動最下位置となった状態でその先端側を止めるので、当該レバー部材に関係する入賞口に対して必要以上の力で開放させることを防止できる。
【００２３】
（６）  前記（５）に記載の遊技機において、
前記止め部は、前記レバー部材の方に折り曲げた折り曲げ部を備え、
前記折り曲げ部で前記レバー部材の先端側を面支持する
ことを特徴とする遊技機。
【００２４】
前記（６）に記載の発明によれば、止め部は、レバー部材の方に折り曲げた折り曲げ部を備えている。この折り曲げ部はレバー部材の先端側を面支持する。したがって、レバー部材の先端側が止め部に当たる衝撃を折り曲げ部で面吸収することができ、レバー部材および中央案内通路の損傷を低減することができる。
【００２５】
（７）  前記（４）から（６）のいずれか一つに記載の遊技機において、
前記レバー部材の先端側は、流下してきた遊技球が接触する幅広受け部を備えていることを特徴とする遊技機。
【００２６】
前記（７）に記載の発明によれば、レバー部材の先端側は、中央案内通路を流下してきた遊技球が接触する幅広受け部を備えているので、遊技球が確実に接触して当該レバー部材を押し下げることができ、入賞口の開放を確実に行うことができる。
【００２７】
（８）  前記（２）から（７）のいずれか一つに記載の遊技機において、
前記ケース部材は、透明あるいは半透明の部材で形成されていることを特徴とする遊技機。
【００２８】
前記（８）に記載の発明によれば、ケース部材は、透明あるいは半透明の部材で形成されているので、機構ユニットのリンク機構手段のレバー部材や中央案内通路内の様子を外部から目視確認することができる。
【００２９】
（９）  請求項１に記載の遊技機、または、前記（１）から（８）のいずれか一つに記載の遊技機において、
前記遊技機はパチンコ機であることを特徴とする遊技機。
【００３０】
前記（９）に記載の遊技機によれば、機構ユニット（例えば連動機構）の取り付け作業を容易にできるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３１】
（１０）  請求項１に記載の遊技機、または、前記（１）から（１５）のいずれか一つに記載の遊技機において、
前記遊技機はパチンコ機とスロットマシンとを融合させたものであることを特徴とする遊技機。
【００３２】
前記（１０）に記載の遊技機によれば、機構ユニット（例えば連動機構）の取り付け作業を容易にできる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【発明の効果】
【００３３】
この発明に係る遊技機によれば、ユニット化した機構ユニットを集合板の裏面側に取り付けるだけでよいので、従来のような集合板の裏面側にリンク機構部品を個別に取り付けていき連動機構を構築するという煩雑な組み付け作業を不要にでき、機構ユニット（例えば連動機構）の取り付け作業を容易にできる。また、機構ユニットの取り付け作業が容易であることから、基板ユニット（露出した基板単体であってもよい）を遊技盤裏面側に取り付ける前に、機構ユニットを遊技盤裏面側に付けなければならないという組立順番（生産工程）が制約されることもないし、仮に、ホール設置後に機構ユニットの交換作業が必要となった場合でも、機構ユニットを集合板の裏面側に取り付けるだけでよく、当該交換作業を容易に行うことができる。
【発明を実施するための最良の形態】
【００３４】
以下、パチンコ遊技機（以下、単に「パチンコ機」という）の各種の実施の形態を、図面に基づいて詳細に説明する。
【実施例１】
【００３５】
実施例１のパチンコ機を、図面に基づいて詳細に説明する。図１はパチンコ機１０の正面図である。図２は、第２入賞口４２が閉状態時の遊技盤３０の正面図である。
【００３６】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸Ｊ１として外枠１１に対して開閉可能に支持された内枠１２と、この内枠１２の一側部（例えば正面視での左側部）を開閉軸Ｊ１として内枠１２に対して開閉自在に取り付けられる前面枠セット１４とを備えている。
【００３７】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００３８】
図１に示すように、内枠１２は、大別すると、その外形を形成する主要部材としての樹脂ベース（図示省略）と、この樹脂ベースの前面側で片開き自在な前面枠セット１４と、樹脂ベース（図示省略）に取り付けられる遊技盤３０（図２参照）とを備えている。
【００３９】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００４０】
前面枠セット１４は、正面視左側で上下方向の開閉軸Ｊ１を軸心にして当該内枠１２に対して開閉自在に取り付けられている。言い換えれば、前面枠セット１４は、樹脂ベース（図示省略）に対して開閉自在となっている。
【００４１】
遊技盤３０（図２参照）は、その遊技領域３０ａを樹脂ベース（図示省略）の開口部に位置させるようにして当該樹脂ベースに着脱自在に取り付けられる。
【００４２】
ここで、もう少し詳細に前面枠セット１４について説明する。
【００４３】
前面枠セット１４は、図１に示すように、内枠１２に対して開閉可能に取り付けられており、内枠１２と同様、パチンコ機１０の正面からみて左側に上下に延びる開閉軸Ｊ１を軸心にして前方側に開放できるようになっている。
【００４４】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３とを備えている。
【００４５】
下皿ユニット１３は、図１に示すように、前面枠セット１４の最下部箇所に位置するように、ネジ等の締結具により固定されている。この下皿ユニット１３は、その前面側に、下皿１５と球抜きレバー１７と遊技球発射ハンドル１８とを備えている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置３８などで構成されている。音出力部２４は、前面枠セット１４の正面視で上部の左右２箇所で、その前面枠セット１４の内部あるいは背面箇所に設けられたスピーカからの音を出力するための出力口である。
【００４６】
上皿ユニット２１は、図１に示すように、前面枠セット１４の下部箇所（前述の下皿１５の上方位置）に位置するように、ネジ等の締結具により固定されており、遊技球の受皿としての上皿１９を備えている。ここで、上皿１９は、遊技球を一旦貯留し、一列に整列させながら遊技球発射装置３８の方へ導出するための球受皿である。
【００４７】
ガラス枠部２３は、図１に示すように、上皿ユニット２１の上側に形成された窓部１０１と、この窓部１０１の周囲に設けられた各種の電飾部とを備えている。
【００４８】
つまり、前面枠セット１４には、図１に示すように、前述した上皿ユニット２１の上側に、遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００４９】
加えて、前面枠セット１４は、図１に示すように、その前面側で窓部１０１の周囲（例えば、上箇所、左箇所、右箇所など）に各種の電飾部を備えている。これらの電飾部は、大当たり時や所定のリーチ時等における遊技状態の変化に応じて点灯、点滅のように発光態様が変更制御され遊技中の演出効果を高める役割を果たすものである。例えば、窓部１０１の周縁でその左箇所及び右箇所には、ＬＥＤ等を内蔵した左側電飾部及び右側電飾部がそれぞれに設けられ、窓部１０１の周縁でその上箇所（パチンコ機１０の最上部）には、同じくＬＥＤ等を内蔵した上側電飾部が設けられている。
【００５０】
本パチンコ機１０では、左側電飾部、右側電飾部および上側電飾部は、大当たりランプとして機能し、大当たり時に点灯や点滅を行うことにより、大当たり中であることを報知する。その他、本パチンコ機１０のコーナー部には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５１】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５２】
遊技盤３０は、図２に示すように、正面視で四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略楕円形状の図１に示した窓部１０１（ガラス板１３７）を通じて内枠１２の前面側から視認可能な状態となっている。
【００５３】
次に、図２を用いて遊技盤３０の構成を説明する。遊技盤３０は、図２に示すように、特別入賞口３１と、２個の始動口３２と、１０個の入賞口３３とを備えている。これらの特別入賞口３１と始動口３２と入賞口３３とは、遊技盤３０における、ルータ加工によって形成された各貫通穴にそれぞれに配設され、遊技盤３０前面側からネジ等により取り付けられている。
【００５４】
これらの特別入賞口３１、始動口３２および入賞口３３に遊技球が入球し、当該入球が後述する検出スイッチ３４（入賞口スイッチ）でそれぞれ検出され、この検出スイッチ３４の出力に基づいて、上皿１９（または下皿１５）へ所定数の賞品球が払い出される。
【００５５】
また、入賞口３３（役物）は、後述するように、上側の第１入賞口４１と下側の第２入賞口４２（例えば、チューリップ）とを備えている。
【００５６】
第２入賞口４２は、開閉自在な羽根４３を備え、当該羽根４３が開放されて遊技球の入球が可能な開状態と、羽根４３が閉じて遊技球の入球不可な閉状態とに変移可能な入賞口であり、開状態時に遊技球が入球すると閉状態となるものである。
【００５７】
また、第１入賞口４１は、遊技球が入球すると、第２入賞口４２の閉状態の羽根４３を開状態とするものである。なお、第２入賞口４２の羽根４３が開状態となっているときに、第１入賞口４１に遊技球が入球しても第２入賞口４２の開状態は維持されるようになっている。
【００５８】
その他に、図２に示すように、遊技盤３０にはアウト口３６が設けられており、各種入賞装置等に入球しなかった遊技球はこのアウト口３６を通って遊技盤３０の裏面側へ案内され図示しない球排出路の方へと案内されるようになっている。遊技盤３０には、遊技球の落下方向を適宜分散、調整等するために多数の釘が植設されているとともに、風車３７等の各種部材（役物）が配設されている。
【００５９】
また、遊技盤３０には、図２に示すように、遊技球発射装置３８（図１参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は、遊技盤３０での左上から右下の部分を除いて略円環状に形成されている。外レール５２は、遊技盤３０での右上から左下の部分にかけて設けられており、その一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００６０】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、外レール５２における、遊技球の最大飛翔部分に対応する位置（図２の右上部：外レール５２の先端部に相当する部位）には、返しゴム５４が設けられている。従って、所定以上の勢いで発射された遊技球は、返しゴム５４に当たって跳ね返されるようになっている。外レール５２は、長尺状をなすステンレス製の金属帯としているので、遊技球の飛翔をより滑らかなものとする、つまり遊技球の摩擦抵抗を少なくすることができる。
【００６１】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００６２】
次に、遊技盤３０の遊技領域３０ａについて説明する。遊技領域３０ａは、図２に示すように、内レール５１と外レール５２との内周部（内外レール）により略縦長円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００６３】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００６４】
従って、本実施の形態では、遊技領域３０ａの幅（左右方向の最大幅）は、４１８ｍｍであり、遊技領域３０ａの高さ（上下方向の最大幅）は、４４５ｍｍである。
【００６５】
なお、詳しい図面の開示は省略するが、遊技球発射装置３８には、前面枠セット１４側の球出口（上皿１９の最下流部より通じる球出口）から遊技球が１つずつ供給される。
【００６６】
次に、遊技盤３０の背面の構成について、図３〜図１２も用いて説明する。
【００６７】
図３は、図２に示した状態の遊技盤３０の裏面図である。図４は、遊技盤３０の裏面側での各ユニットの分解斜視図である。図５は、機構ユニット９０の分解斜視図である。図６は、基板ユニットを取り外した状態の遊技盤３０の裏面側を示す図である。図７は、第２入賞口４２が開状態時の遊技盤３０の正面図である。図８は、図７に示した状態の遊技盤３０の裏面図である。図９は、基板ユニットを取り外した状態で第１入賞口４１に入球した場合の遊技盤３０の裏面側を示す図である。図１０は、基板ユニットを取り外した状態の遊技盤３０の裏面側を示す図であって、第１入賞口４１に入球した遊技球で最初のレバー部材１５０が押し下げられている様子を示す図である。図１１は、基板ユニットを取り外した状態の遊技盤３０の裏面側を示す図であって、第１入賞口４１に入球した遊技球で次のレバー部材１５０が押し下げられている様子を示す図である。図１２は、基板ユニットを取り外した状態の遊技盤３０の裏面側を示す図であって、第１入賞口４１に入球した遊技球によって各レバー部材１５０が押し下げられる様子を示す図である。
【００６８】
図３，図４に示すように、遊技盤３０は、その裏面側（背面）に集合板６０が取り付けられており、この集合板６０の裏面側（つまり、集合板６０での遊技盤３０と対向する面と反対側の面）の所定箇所には、各種の基板ユニット（後述する制御基板ユニット７０や中継基板ユニット８０）や機構ユニット９０が集合板６０の縦方向に並べて配置されている。
【００６９】
集合板６０は、図４に示すように、遊技盤３０の裏面側に取り付けられている。また、集合板６０は、図６，図９に示すように、入賞口３３を通って遊技盤３０の裏面側に導かれた遊技球を案内して集めて排出するためのものであり、遊技盤３０の裏面側に導かれた遊技球が入力されて集合板６０の下方に集めるための複数個の案内通路６１が形成されている。また、集合板６０は、例えば、透明な樹脂成形部品としており、案内通路６１を外部から目視確認できるし、遊技盤３０と集合板６０との間に不正基板や不正物が仕込まれたとしてもそれを外部から目視確認できる。
【００７０】
基板ユニットは、図３，図４に示すように、集合板６０の裏面側で、かつ、当該集合板６０を裏面視した状態で機構ユニット９０と重ならない位置に配設されている。具体的には、この基板ユニットは、遊技盤３０の裏面視上部に配置された制御基板ユニット７０と、遊技盤３０の裏面視中央部に配置された中継基板ユニット８０とが挙げられ、この制御基板ユニット７０と中継基板ユニット８０とは、集合板６０の裏面側で、かつ、当該集合板６０を裏面視した状態で機構ユニット９０に重ならない位置に配設されている。
【００７１】
遊技盤３０の裏面視上部の制御基板ユニット７０は、図３，図４に示すように、制御基板（図示省略）と、この制御基板（図示省略）を被包する樹脂製の保護ケース７１とを備えている。この保護ケース７１は、例えば、透明な樹脂成形部品としている。
【００７２】
また、遊技盤３０の裏面視中央部に配置された中継基板ユニット８０は、図３，図４に示すように、中継基板からなるものであり、集合板６０にネジ止めして固定されるようになっている。なお、この中継基板ユニット８０は、中継基板の全体を覆うケースを備えたものとしてもよい。
【００７３】
なお、図３，図４に示すように、遊技盤３０の裏面視下部に配置された機構ユニット９０を覆うように、左端を開閉軸として左方向（横方向）に片開き自在な取付台８５が設けられている。この取付台８５には、前述の制御基板ユニット７０とは別の制御基板ボックス８６が取り付けられる。
【００７４】
続いて、機構ユニット９０の構成などについて詳細に説明する。
【００７５】
機構ユニット９０は、図４に示すように、集合板６０とは別部品で構成されたユニットであって、当該集合板６０での遊技盤３０と対向する側とは反対側たる裏面側に取り付けられている。もう少し詳細に説明すると、機構ユニット９０は、図４に示すように、集合板６０の裏面側で、当該集合板６０を裏面視した状態で互いに重ならない位置で、かつ、基板ユニット（制御基板ユニット７０や中継基板ユニット８０）と重ならない位置に、複数個（本実施例では２個）配設されている。
【００７６】
機構ユニット９０は、図５に示すように、遊技盤３０での始動口３２に入賞した遊技球の重みを利用して入賞口３３を開放するように構成されたリンク機構部１３０をユニット化したものである。具体的には、機構ユニット９０は、図５に示すように、リンク機構部１３０をケース部材１４０内に収めるようにユニット化したものである。
【００７７】
ケース部材１４０は、図５に示すように、取込孔１４１と排出口１４２と中央案内通路１４３とを備えたケース（容器）である。また、ケース部材１４０は、透明部材で形成されている（例えば、透明樹脂成形品としている）ので、ケース内を外部から目視確認できる。なお、本実施例では、ケース部材１４０は、透明部材で形成しているが、半透明部材で形成してもよい。
【００７８】
具体的には、ケース部材１４０は、図５に示すように、下ケース部１４０ａと上ケース部１４０ｂとを備えている。取込孔１４１は、ケース部材１４０での集合板６０側の所定箇所、つまり、下ケース部１４０ａの集合板６０側で上部箇所を、遊技球が取込可能に開口形成したものである。
【００７９】
排出口１４２は、取込孔１４１の鉛直下方で、ケース部材１４０での集合板６０側の所定箇所、つまり、下ケース部１４０ａの集合板６０側で下部箇所を、遊技球が排出可能に開口形成したものである。
【００８０】
中央案内通路１４３は、図５に示すように、取込孔１４１と排出口１４２とを連通して上から下方向に遊技球が流下するように形成された通路である。具体的には、中央案内通路１４３は、図５に示すように、下ケース部１４０ａの略中央で縦方向に形成された遊技球を通すための通路部と、上ケース部１４０ｂの略中央で縦方向に形成された遊技球を通すための通路部と、を合わせることで形成された通路としている。
【００８１】
機構ユニット９０のリンク機構部１３０は、先端側１５０ａが中央案内通路１４３の左右両側から当該通路内に延出されて、少なくとも先端側１５０ａが上下に可動する複数（本実施例では２個）のレバー部材１５０と、遊技球の接触により下方に位置したレバー部材１５０の先端側１５０ａを当該遊技球の接触解除後にそれよりも上方の位置に戻す各復帰機構１７０と、を備え、かつ、レバー部材１５０の先端側１５０ａの下方移動に伴って第１入賞口４１を開放させるものである。
【００８２】
図９に示すように、レバー部材１５０の先端側１５０ａが遊技球によって押し下げられる（下方移動する）と、レバー部材１５０の他端側が第２入賞口４２の裏面側の突出棒４９を押し下げることになる。この第２入賞口４２の裏面側の突出棒４９が押し下げられることに伴って、この第２入賞口４２の羽根４３が開かれるようになっている。なお、入賞口３３の構成については後に詳述することとする。
【００８３】
機構ユニット９０は、図５に示すように、左右１個ずつレバー部材１５０を備えたユニットである。両レバー部材１５０は、図５，図６に示すように、後述する第１リンク１５１と第３リンク１５３との形状が若干相違するものであるが、両方とも本質的機能は同じであるため、図５での紙面右側のレバー部材１５０の構造について以下に説明する。
【００８４】
レバー部材１５０は、図５に示すように、下ケース部１４０ａに所定角度範囲で回動自在に軸支される第１リンク１５１と、この第１リンク１５１に連結され、かつ、下ケース部１４０ａに所定角度範囲で回動自在に軸支される第２リンク１５２と、第１リンク１５１に連結され、かつ、下ケース部１４０ａに所定角度範囲で回動自在に軸支される第３リンク１５３とを備えている。
【００８５】
第１リンク１５１は、図５に示すように、下ケース部１４０ａの軸部が挿入されるジョイント部１５１ａと、このジョイント部１５１ａから外側で開動軸に直交する方向に延出された第１アーム１５１ｂと、ジョイント部１５１ａから外側で開動軸に直交する方向に延出され、かつ、第１アーム１５１ｂに対して鋭角な位置関係の第２アーム１５１ｃと、ジョイント部１５１ａから外側で開動軸に直交する方向に延出され、かつ、第１アーム１５１ｂに対して鈍角な位置関係の第３アーム１５１ｄとを備えている。
【００８６】
第１リンク１５１の第１アーム１５１ｂは、図５に示すように、その先端側１５０ａに、流下してきた遊技球が接触する幅広受け部１５５を備えている。この幅広受け部１５５は、第１アーム１５１ｂの幅よりも広く、かつ、中央案内通路１４３の通路空間よりも小さい大きさとなっている。また、第１リンク１５１の第２アーム１５１ｃは、その先端側に、第２リンク１５２と連結するための長孔１５１ｅが形成されている。また、第１リンク１５１の第３アーム１５１ｄは、その先端側に、第３リンク１５３と連結するための長孔１５１ｅが形成されている。
【００８７】
また、第２リンク１５２は、図５に示すように、下ケース部１４０ａの軸部が挿入されるジョイント部１５２ａと、このジョイント部１５２ａから外側で開動軸に直交する方向に延出された、第１リンク１５１の第２アーム１５１ｃに連結させるための連結アーム１５２ｂと、ジョイント部１５２ａから外側で開動軸に直交する方向に延出され、かつ、図２での上段側で左端から２番目の入賞口３３の第２入賞口４２の裏面側の突出棒４９が押し下げるための作用アーム１５２ｃと、ジョイント部１５２ａから外側で開動軸に直交する方向に延出され、かつ、作用アーム１５２ｃの押し下げを復帰させるための錘用アーム１５２ｄとを備えている。
【００８８】
つまり、第１リンク１５１の第２アーム１５１ｃの先端側に設けられた長孔１５１ｅに、第２リンク１５２の連結アーム１５２ｂの先端側の突起部が挿入されることで、第１リンク１５１と第２リンク１５２とが連結されるようになっている。
【００８９】
遊技球の重みで第１リンク１５１の第１アーム１５１ｂが一旦押し下げられたことに伴って第２リンク１５２の作用アーム１５２ｃも押し下げられた状態となるが、錘用アーム１５２ｄには、その先端側に筒状の錘１５２ｅが取り付けられており、この錘１５２ｅにより錘用アーム１５２ｄが下がった状態となり、これに伴って第１リンク１５１の第１アーム１５１ｂが非押し下げ状態に復帰するとともに、第２リンク１５２の作用アーム１５２ｃおよび後述する第３リンク１５３の作用アーム１５３ｃも非押し下げ状態に復帰する。
【００９０】
また、第３リンク１５３は、図５に示すように、下ケース部１４０ａの軸部が挿入されるジョイント部１５３ａと、このジョイント部１５３ａから外側で開動軸に直交する方向に延出された、第１リンク１５１の第３アーム１５１ｄに連結させるための連結アーム１５３ｂと、ジョイント部１５３ａから外側で開動軸に直交する方向に延出され、かつ、図２での上段側で左端から１番目の入賞口３３の第２入賞口４２の裏面側の突出棒４９が押し下げるための作用アーム１５３ｃとを備えている。
【００９１】
つまり、第１リンク１５１の第３アーム１５１ｄの先端側に設けられた長孔１５１ｅに、第３リンク１５３の連結アーム１５３ｂの先端側の突起部が挿入されることで、第１リンク１５１と第３リンク１５３とが連結されるようになっている。
【００９２】
上述してきたように、図５に示した機構ユニット９０の右側のレバー部材１５０によって、図２での上段側で左端から１，２番目の入賞口３３の第２入賞口４２が開状態となるし、重複説明を避けるため詳細な説明は省略したが、図５に示した機構ユニット９０の左側のレバー部材１５０も右側のレバー部材１５０と同様の構成であるため、図５に示した機構ユニット９０の左側のレバー部材１５０によって、図２での上段側で右端から１，２番目の入賞口３３の第２入賞口４２が開状態となる。つまり、図５に示した左右の２個のレバー部材１５０の先端側１５０ａが押し下げられることで、図２での上段側で左端から１，２，４及び５番目の入賞口３３の第２入賞口４２を同時に開状態とすることができる。
【００９３】
なお、図２での上段側で左端から３番目の入賞口３３（つまり中央の入賞口３３）の第２入賞口４２は、上側の機構ユニット９０の中央案内通路１４３から出た遊技球が、その第２入賞口４２の裏面側の突出棒４９の部分を押し下げて集合板６０の案内通路６１を進んでいくことから、図２での上段側の５個の入賞口３３の第２入賞口４２を同時に開状態とすることができる。
【００９４】
ここでもう少し詳細に、レバー部材１５０や中央案内通路１４３の構成などについて説明する。
【００９５】
２個のレバー部材１５０は、図６に示すように、その各先端側１５０ａが、中央案内通路１４３の遊技球流下方向に順番に、かつ、当該中央案内通路１４３の左右両側に交互に位置するようにそれぞれ配置されている。つまり、図６に示すように、右側のレバー部材１５０の先端側１５０ａが中央案内通路１４３の右側に位置し、左側のレバー部材１５０の先端側１５０ａが右側のレバー部材１５０の先端側１５０ａよりも下方位置で、かつ、中央案内通路１４３の左側に位置しており、レバー部材１５０の先端側１５０ａが中央案内通路１４３の左右両側に交互に位置している。
【００９６】
また、中央案内通路１４３は、図５，図９に示すように、レバー部材１５０の可動最下位置で、かつ、左右両側のうちでそのレバー部材１５０の位置しない側の壁面を遊技球逃がしのために集合板６０を裏面視した状態で外側に円弧状に突出させた円弧状突出部１４４を、当該中央案内通路１４３の左右両側に交互に備えている。
【００９７】
下側のレバー部材１５０は、図６に示すように、当該下側のレバー部材１５０の可動最上位置が上側のレバー部材１５０のための円弧状突出部１４４に位置するように配置されている。
【００９８】
中央案内通路１４３は、図５，図９に示すように、レバー部材１５０が可動最下位置となった状態でその先端側１５０ａを止める止め部１４５を備えている。
【００９９】
図５，図９に示すように、止め部１４５は、レバー部材１５０の方に折り曲げた折り曲げ部１４６を備えている。また、この折り曲げ部１４６でレバー部材１５０の先端側１５０ａを面支持するようになっている。
【０１００】
ここで制御基板ユニット７０の集合板６０への取り付けについて説明する。図４に示すように、制御基板ユニット７０での保護ケース７１の上部の差し込み突起部７２を集合板６０の差し込み口６２に挿入して保護ケース７１の上辺側を片差し込み状態とし、次に保護ケース７１の下辺側を集合板６０に合わせてワンタッチ留め具７３を集合板６０に押し込むことで、この制御基板ユニット７０を集合板６０に簡単に取り付けることができる。
【０１０１】
次に、制御基板ユニット７０の集合板６０からの取り外しについて説明する。図４に示すように、取り外し時には、ワンタッチ留め具７３を引くことで保護ケース７１の下辺側の留めが解除され、保護ケース７１の上辺側を開閉軸として片開きした状態で、保護ケース７１の上部の差し込み突起部７２を集合板６０の差し込み口６２から抜くことで、制御基板ユニット７０を簡単に取り外すことができる。
【０１０２】
ここで、入賞口３３の構成について、図１３〜図２１を用いて詳細に説明する。
【０１０３】
図１３（ａ）〜（ｇ）は、順に閉状態の入賞口３３の平面図、斜視図、左側面図、正面図、右側面図、裏面図、底面図である。図１４は、入賞口３３の正面視分解斜視図である。図１５は、入賞口３３の裏面視分解斜視図である。図１６（ａ）〜（ｇ）は、順に開状態の入賞口３３の平面図、斜視図、左側面図、正面図、右側面図、裏面図、底面図である。図１７（ａ）〜（ｄ）は、遊技盤裏面視で左側に配置された入賞口３３であって第２入賞口４２が閉状態の平面図、正面図、右側面図、断面図である。図１８（ａ）〜（ｄ）は、遊技盤裏面視で左側に配置された入賞口３３であって第２入賞口４２が開状態の平面図、正面図、右側面図、断面図である。図１９（ａ）〜（ｅ）は、遊技盤裏面視で右側に配置された入賞口３３であって第２入賞口４２が閉状態の平面図、正面図、右側面図、断面図、裏面図である。図２０（ａ）〜（ｄ）は、遊技盤裏面視で右側に配置された入賞口３３であって第２入賞口４２が開状態の平面図、正面図、右側面図、断面図である。図２１（ａ）、（ｃ）、（ｄ）は、遊技盤裏面視で右側に配置された入賞口３３であって第２入賞口４２が開状態の羽根４３の斜視図、その入賞口３３の前面視斜視図、その入賞口３３の裏面視斜視図であり、図２１（ｂ）、（ｅ）、（ｆ）は、遊技盤裏面視で左側に配置された入賞口３３であって第２入賞口４２が開状態の羽根４３の斜視図、その入賞口３３の前面視斜視図、その入賞口３３の裏面視斜視図であり、図２１（ｇ）、（ｉ）、（ｊ）は、遊技盤裏面視で右側に配置された入賞口３３であって第２入賞口４２が閉状態の羽根４３の斜視図、その入賞口３３の前面視斜視図、その入賞口３３の裏面視斜視図であり、図２１（ｈ）、（ｋ）、（ｌ）は、遊技盤裏面視で左側に配置された入賞口３３であって第２入賞口４２が閉状態の羽根４３の斜視図、その入賞口３３の前面視斜視図、その入賞口３３の裏面視斜視図である。
【０１０４】
図１３〜図１６及び図１９、図２０に図示された入賞口３３は、第２入賞口４２の裏面側の突出棒４９が当該第２入賞口４２の裏面視で左側に位置している（図９参照）ことから、図２に示した遊技盤３０の遊技領域３０ａの右側設けられた入賞口であり、図１７および図１８に図示された入賞口３３は、第２入賞口４２の裏面側の突出棒４９が当該第２入賞口４２の裏面視で右側に位置している（図９参照）ことから、図２に示した遊技盤３０の遊技領域３０ａの左側設けられた入賞口である。
【０１０５】
入賞口３３は、図１４（ｂ），図１６（ｂ）に示すように、第１入賞口４１と、羽根４３を備えた第２入賞口４２とを備えた単一部品としている。
【０１０６】
この入賞口３３は、以下のように構成されている。入賞口３３は、図１４，図１５に示すように、前面カバー部材４４と、この前面カバー部材４４の裏面側の支持ピン４５に開閉自在に軸支される羽根４３と、前面カバー部材４４が羽根４３を挟んで取り付けられるベース部４６と、このベース部４６の裏面側上部に取り付けられて第１入賞口４１への入球を検出する検出スイッチ３４と、ベース部４６の裏面側に非押し下げ姿勢と押し下げ姿勢とに変移可能に取り付けられ、第１入賞口４１に入球した遊技球の通路になる可動通路片４７と、ＬＥＤ基板４８とを備えている。
【０１０７】
図１４、図１５に示すように、可動通路片４７の後方側に、レバー部材１５０により押し下げられる前述の突出棒４９が形成されている。
【０１０８】
本実施例では検出スイッチ３４として近接センサを採用しているが、遊技球の通過を他の方式で検出するセンサなどを採用してもよい。
【０１０９】
図１７（ｄ）、図１９（ｄ）に示すように、第１入賞口４１に入球した遊技球は、検出スイッチ３４でその入球が検出されて第１入賞口用通路を通って可動通路片４７上に落下し、図１８（ｄ）、図２０（ｄ）に示すように、この可動通路片４７を遊技球の重みで押し下げた状態（押し下げ姿勢）にし、図９に示すように横方向に排出されて集合板６０の案内通路６１に導かれる。
【０１１０】
これに対して、図１８（ｂ）、図２０（ｂ）に示すように、羽根４３が開かれて開状態となった第２入賞口４２に遊技球が入球する、つまり、図１８（ｄ）、図２０（ｄ）で第２入賞口４２に入球した遊技球は、押し下げ姿勢の可動通路片４７の手前端を押し下げることでこの可動通路片４７が非押し下げ姿勢に戻されるとともに、可動通路片４７の下部の通路を通り、図６に示すように集合板６０の案内通路６１に導かれて対応する検出スイッチ３４で遊技球の通過検出がされ、集合板６０の下方に集められる。
【０１１１】
なお、可動通路片４７が非押し下げ姿勢に戻されることで、図２１（ｇ）〜（ｌ）に示すように第２入賞口４２の羽根４３が閉じられる（第２入賞口４２が閉状態となる）。
【０１１２】
このように、集合板６０の裏面側で上側の機構ユニット９０の構成について説明してきたが、集合板６０の裏面側で下側の機構ユニット９０もこれと同様の構成であるため、ここでの下側の機構ユニット９０についての説明を省略する。
【０１１３】
なお、上述した制御基板ユニット７０，中継基板ユニット８０が本発明における基板ユニットに相当し、上述した始動口３２が本発明における特定の入賞口に相当し、上述した入賞口３３が本発明における他の入賞口に相当し、上述した復帰機構１７０が本発明における復帰手段に相当する。
【０１１４】
ここで、例えば、遊技盤３０の遊技領域３０ａの上側の始動口３２に遊技球が入球することで、上段側の５個全ての入賞口３３が同時に開状態となるメカニズムについて、以下に説明する。
【０１１５】
図２に示すように、遊技盤３０の遊技領域３０ａの上側の始動口３２に遊技球が入球すると、その遊技球は、図１０に示すように、遊技盤３０の裏面側の集合板６０の中央上部の案内通路６１に導かれ、検出センサを通過し、入球が検出される。
【０１１６】
そして、この遊技球は、図１０に示すように、機構ユニット９０の右側のレバー部材１５０の先端側１５０ａに接触し、遊技球の自重によりこのレバー部材１５０の先端側１５０ａが押し下げられる。この押し下げた状態（可動最下位置となった状態）では、第２リンク１５２および第３リンク１５３の作用アームが、図２での上段側で左端から１，２番目の入賞口３３の第２入賞口４２の裏面側の突出棒４９をそれぞれ押し下げた状態となっており、図２での上段側で左端から１，２番目の入賞口３３の第２入賞口４２が開状態となる。
【０１１７】
なお、図１０に示すように、右側のレバー部材１５０の先端側１５０ａが押し下げられた状態（つまり可動最下位置となった状態）では、この先端側１５０ａが、中央案内通路１４３の止め部１４５で止め受けられており、詳述すれば、レバー部材１５０の先端側１５０ａが止め部１４５の折り曲げ部１４６に面支持された格好となっている。
【０１１８】
続いて、図１０に示すように、右側のレバー部材１５０の先端側１５０ａが押し下げられた状態（つまり可動最下位置となった状態）では、遊技球が円弧状突出部１４４の方に逃げるのと同時に、同一の機構ユニット９０の左側のレバー部材１５０の先端側１５０ａに遊技球が引き渡される。
【０１１９】
なお、図１１に示すように、遊技球が右側のレバー部材１５０の先端側１５０ａから円弧状突出部１４４の方に逃げると、復帰機構１７０によって当該右側のレバー部材１５０の先端側１５０ａの押し下げが戻されることになる。
【０１２０】
この左側のレバー部材１５０の先端側１５０ａに遊技球が接触すると、遊技球の自重によりこのレバー部材１５０の先端側１５０ａが押し下げられる。この押し下げた状態（可動最下位置となった状態）では、第２リンク１５２および第３リンク１５３の作用アーム１５２ｃ，１５３ｃが、図２での上段側で左端から４，５番目の入賞口３３の第２入賞口４２の裏面側の突出棒４９をそれぞれ押し下げた状態となっており、図２での上段側で左端から４，５番目の入賞口３３の第２入賞口４２が開状態となる。
【０１２１】
なお、図１１に示すように、左側のレバー部材１５０の先端側１５０ａが押し下げられた状態（つまり可動最下位置となった状態）では、この先端側１５０ａが、中央案内通路１４３の止め部１４５で止め受けられており、詳述すれば、レバー部材１５０の先端側１５０ａが止め部１４５の折り曲げ部１４６に面支持された格好となっている。
【０１２２】
続いて、図１１に示すように、左側のレバー部材１５０の先端側１５０ａが押し下げられた状態（つまり可動最下位置となった状態）では、遊技球が円弧状突出部１４４の方に逃げて、当該機構ユニット９０の排出口１４２から排出されて、図２での上段側で左端から３番目の入賞口３３の第２入賞口４２の裏面側の可動通路片４７上に落下し、この可動通路片４７を後方側に押し下げる（可動通路片４７の突出棒４９側を押し下げる）。この押し下げによって、３番目の入賞口３３の第２入賞口４２の羽根４３が開らかれる。可動通路片４７を押し下げた遊技球は、図１１に示すように、その可動通路片４７の傾斜通路を通って左側に案内され、集合板６０の案内通路６１を通って集合板６０の下方に流下し、当該集合板６０から排出される。
【０１２３】
上述してきたように、上側の機構ユニット９０の右側のレバー部材１５０の先端側１５０ａが遊技球で押し下げて円弧状突出部１４４の方に逃げるやいなや、今度は左側のレバー部材１５０の先端側１５０ａを押し下げて円弧状突出部１４４の方に逃げて、３番目の入賞口３３の第２入賞口４２の裏面側の可動通路片４７を押し下げることから、図２で示す上側の横並びの５個の入賞口３３は殆ど同時に開くことになる。つまり、微小単位時間（ミリ秒）でみれば、図２での左端から１，２番目の入賞口３３の第２入賞口４２、４，５番目の入賞口３３の第２入賞口４２、３番目の入賞口３３の第２入賞口４２の順に開いているのであるが、見た目ではこれらの５個の入賞口３３が同時に開いているように見える。
【０１２４】
上述したように、本実施例のパチンコ機１０によれば、遊技球の打ち込まれる遊技領域３０ａが前面側に形成され、かつ、遊技領域３０ａの所定箇所に始動口３２や入賞口３３が配設された遊技盤３０と、この遊技盤３０の裏面側に取り付けられ、入賞口３３を通って遊技盤３０の裏面側に導かれた遊技球を案内して集めて排出するための集合板６０と、この集合板６０とは別部品で構成されたユニットであって当該集合板６０での遊技盤３０と対向する側とは反対側たる裏面側に取り付けられる機構ユニット９０と、集合板６０の裏面側で、かつ、当該集合板６０を裏面視した状態で機構ユニット９０と重ならない位置に配設される基板ユニット（制御基板ユニット７０や中継基板ユニット８０）と、を備え、機構ユニット９０は、遊技盤３０での始動口３２に入賞した遊技球の重みを利用して入賞口３３を開放するように構成されたリンク機構部１３０をユニット化したものであるので、ユニット化した機構ユニット９０を集合板６０の裏面側に取り付けるだけでよく、従来のような集合板の裏面側にリンク機構部品を個別に取り付けていき連動機構を構築するという煩雑な組み付け作業を不要にでき、機構ユニット９０（例えば連動機構）の取り付け作業を容易にできる。また、機構ユニット９０の取り付け作業が容易であることから、制御基板ユニット７０や中継基板ユニット８０（露出した基板単体であってもよい）を遊技盤裏面側に取り付ける前に、機構ユニット９０を遊技盤裏面側に付けなければならないという組立順番（生産工程）が制約されることもないし、仮に、ホール設置後に機構ユニット９０の交換作業が必要となった場合でも、機構ユニット９０を集合板６０の裏面側に取り付けるだけでよく、当該交換作業を容易に行うことができる。
【０１２５】
また、基板ユニット（制御基板ユニット７０や中継基板ユニット８０）は、集合板６０の裏面側で、かつ、機構ユニット９０と重ならない位置に配設されているので、遊技盤３０の裏面突出量を小さくできる。また、機構ユニット９０や基板ユニットを区分け配設しているので、ユニット毎に区分けされた簡易な取付構造とすることができる。
【０１２６】
また、機構ユニット９０は、集合板６０の裏面側で、当該集合板６０を裏面視した状態で互いに重ならない位置で、かつ、基板ユニット（制御基板ユニット７０や中継基板ユニット８０）と重ならない位置に、複数個（本実施例では２個）配設されているので、ユニット化した各機構ユニット９０を集合板６０の裏面側に取り付けるだけでよいので、複数個の機構ユニット９０を集合板６０の裏面側に容易に取り付けることができる。
【０１２７】
また、機構ユニット９０は、リンク機構部１３０をケース部材１４０内に収めるようにユニット化したものである。つまり、可動なリンク機構部１３０がケース部材１４０内に収容されているので、遊技盤３０の裏面側の配線がリンク機構部１３０などに接触することを低減できる。また、遊技機をホールの島設備に設置した後に、ホール側の電源配線や信号配線などが遊技盤３０に裏面側に位置することもあるが、それらの配線がケース部材１４０内のリンク機構手段に接触することも防止できる。その結果、リンク機構部１３０に配線等が接触することによる作動不具合を低減できる。
【０１２８】
また、ケース部材１４０は、集合板６０側の所定箇所を遊技球が取込可能に開口形成した取込孔１４１と、この取込孔１４１の鉛直下方で、集合板６０側の所定箇所を遊技球が排出可能に開口形成した排出口１４２と、取込孔１４１と排出口１４２とを連通して上から下方向に遊技球が流下する中央案内通路１４３と、を備え、リンク機構部１３０は、先端側１５０ａが中央案内通路１４３の左右両側から当該通路内に延出されて、少なくとも先端側１５０ａが上下に可動する複数のレバー部材１５０と、遊技球の接触により下方に位置したレバー部材１５０の先端側１５０ａを当該遊技球の接触解除後にそれよりも上方の位置に戻す復帰機構１７０と、を備え、かつ、レバー部材１５０の先端側１５０ａの下方移動に伴って入賞口３３を開放させるものであるので、遊技盤３０での始動口３２に入賞した遊技球の重みを利用して入賞口３３を開放する機構ユニット９０を好適に実現できるのみならず、リンク機構部１３０をケース部材１４０で覆った機構ユニット９０とすることで、遊技盤３０やホール側の配線等がリンク機構手段に接触することによる作動不具合を低減できる。また、機構ユニット９０の単位でリンク機構部１３０の作動性を確保でき、従来のような遊技盤３０の裏面側にリンク機構部品を個別に取り付けていき連動機構を構築する場合に比べて、作動性を向上させることができる。
【０１２９】
また、複数のレバー部材１５０は、その各先端側１５０ａが、中央案内通路１４３の遊技球流下方向に順番に、かつ、当該中央案内通路１４３の左右両側に交互に位置するようにそれぞれ配置され、中央案内通路１４３は、レバー部材１５０の可動最下位置で、かつ、左右両側のうちでそのレバー部材１５０の位置しない側の壁面を遊技球逃がしのために集合板６０を裏面視した状態で外側に円弧状に突出させた円弧状突出部１４４を、当該中央案内通路１４３の左右両側に交互に備え、下側のレバー部材１５０は、当該下側のレバー部材１５０の可動最上位置が上側のレバー部材１５０のための円弧状突出部１４４に位置するように配置されているので、中央案内通路１４３における上側のレバー部材１５０とそのすぐ下側のレバー部材１５０との間の通路を短くでき、短時間で複数のリンク機構部１３０を作動でき、複数個の入賞口３３を同時に開放させることができる。つまり、中央案内通路１４３を流下する遊技球は、上側のレバー部材１５０の先端側１５０ａを押し下げて円弧状突出部１４４に逃げるやいなや、この円弧状突出部１４４に設けられた下側のレバー部材１５０の先端側１５０ａを押し下げて円弧状突出部１４４に逃げていくことから、上側のレバー部材１５０に関係する入賞口３３（図２での右端の２個の入賞口３３）と、下側のレバー部材１５０に関係する入賞口３３（図２での左端の２個の入賞口３３）とをほとんど同時に開放させることができるし、省スペース化を図ることもできる。
【０１３０】
また、中央案内通路１４３の止め部１４５は、レバー部材１５０が可動最下位置となった状態でその先端側１５０ａを止めるので、当該レバー部材１５０に関係する入賞口３３に対して必要以上の力で開放させることを防止できる。
【０１３１】
また、止め部１４５は、レバー部材１５０の方に折り曲げた折り曲げ部１４６を備え、この折り曲げ部１４６はレバー部材１５０の先端側１５０ａを面支持するので、レバー部材１５０の先端側１５０ａが止め部１４５に当たる衝撃を折り曲げ部１４６で面吸収することができ、レバー部材１５０および中央案内通路１４３の損傷を低減することができる。
【０１３２】
また、レバー部材１５０の先端側１５０ａは、中央案内通路１４３を流下してきた遊技球が接触する幅広受け部１５５を備えているので、遊技球が確実に接触して当該レバー部材１５０を押し下げることができ、入賞口３３の開放を確実に行うことができる。
【０１３３】
この発明は、上記実施形態に限られることはなく、下記のように変形実施することができる。
【０１３４】
（１）上述した実施例では、入賞口３３は、第１入賞口４１と、羽根４３を有する第２入賞口４２とを備えたものとしているが、羽根４３を有する第２入賞口４２のみを備えたものとしてもよい。
【０１３５】
（２）上述した実施例では、機構ユニット９０は、中央を除く４個の入賞口３３の第２入賞口４２をレバー部材１５０の押し下げに伴って開かせるものとしているが、単数あるいは４個以外の複数個の入賞口３３を開かせるものとしてもよい。
【０１３６】
（３）上述した実施例では、制御基板ユニット７０の制御基板については詳細に説明していないが、遊技機を統制制御する主制御基板や、遊技者に遊技球を払い出す払出制御基板や、ランプ制御や音声出力制御などを制御するサブ制御基板など、種々の制御基板にてきようしてもよい。
【０１３７】
（４）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１３８】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１３９】
以上のように、この発明は、パチンコ機等の遊技機に適している。
【図面の簡単な説明】
【０１４０】
【図１】本発明の実施例のパチンコ機の概略正面図である。
【図２】遊技盤の構成を示す正面図である。
【図３】図２に示した状態の遊技盤の裏面図である。
【図４】遊技盤の裏面側での各ユニットの分解斜視図である。
【図５】機構ユニットの分解斜視図である。
【図６】基板ユニットを取り外した状態の遊技盤の裏面側を示す図である。
【図７】第２入賞口が開状態時の遊技盤の正面図である。
【図８】図７に示した状態の遊技盤の裏面図である。
【図９】基板ユニットを取り外した状態で第１入賞口に入球した場合の遊技盤の裏面側を示す図である。
【図１０】基板ユニットを取り外した状態の遊技盤の裏面側を示す図であって、第１入賞口に入球した遊技球で最初のレバー部材が押し下げられている様子を示す図である。
【図１１】基板ユニットを取り外した状態の遊技盤の裏面側を示す図であって、第１入賞口に入球した遊技球で次のレバー部材が押し下げられている様子を示す図である。
【図１２】基板ユニットを取り外した状態の遊技盤の裏面側を示す図であって、第１入賞口に入球した遊技球によって各レバー部材が押し下げられる様子を示す図である。
【図１３】（ａ）〜（ｇ）は、順に閉状態の入賞口の平面図、斜視図、左側面図、正面図、右側面図、裏面図、底面図である。
【図１４】入賞口の正面視分解斜視図である。
【図１５】入賞口の裏面視分解斜視図である。
【図１６】（ａ）〜（ｇ）は、順に開状態の入賞口の平面図、斜視図、左側面図、正面図、右側面図、裏面図、底面図である。
【図１７】（ａ）〜（ｄ）は、遊技盤裏面視で左側に配置された入賞口であって第２入賞口が閉状態の平面図、正面図、右側面図、断面図である。
【図１８】（ａ）〜（ｄ）は、遊技盤裏面視で左側に配置された入賞口であって第２入賞口が開状態の平面図、正面図、右側面図、断面図である。
【図１９】（ａ）〜（ｅ）は、遊技盤裏面視で右側に配置された入賞口であって第２入賞口が閉状態の平面図、正面図、右側面図、断面図、裏面図である。
【図２０】（ａ）〜（ｄ）は、遊技盤裏面視で右側に配置された入賞口であって第２入賞口が開状態の平面図、正面図、右側面図、断面図である。
【図２１】（ａ）〜（ｌ）は、第２入賞口の羽根や第２入賞口の斜視図である。
【符号の説明】
【０１４１】
３０  …遊技盤
３２  …始動口（特定の入賞口）
３３  …入賞口
６０  …集合板
９０  …機構ユニット
７０  …制御基板ユニット（基板ユニット）
８０  …中継基板ユニット（基板ユニット）
１３０  …リンク機構部（リンク機構手段）
【図１】
2008161516.tif 000003
【図２】
2008161516.tif 000004
【図３】
2008161516.tif 000005
【図４】
2008161516.tif 000006
【図５】
2008161516.tif 000007
【図６】
2008161516.tif 000008
【図７】
2008161516.tif 000009
【図８】
2008161516.tif 000010
【図９】
2008161516.tif 000011
【図１０】
2008161516.tif 000012
【図１１】
2008161516.tif 000013
【図１２】
2008161516.tif 000014
【図１３】
2008161516.tif 000015
【図１４】
2008161516.tif 000016
【図１５】
2008161516.tif 000017
【図１６】
2008161516.tif 000018
【図１７】
2008161516.tif 000019
【図１８】
2008161516.tif 000020
【図１９】
2008161516.tif 000021
【図２０】
2008161516.tif 000022
【図２１】
2008161516.tif 000023